(57)【要約】【課題】簡易なハードウェア構成で、機密性の高いクレジットカードの決済ができなかった。【解決手段】第一端末、第二端末、およびデータセンターを具備する決済システムであって、第一端末は、クレジットカード識別子を含むクレジットカード情報を取得し、ユニーク情報を取得し、第一端末識別子とクレジットカード情報とユニーク情報とを用いて情報を暗号化し、暗号化された第一端末情報を構成し、第一端末識別子とクレジットカード情報とを有する第一端末情報を第二端末に送信し、第二端末は、第一端末情報を受信し、第二端末識別子と第一端末情報とを有する第二端末情報をデータセンターに送信し、データセンターは、第二端末情報を受信し、決済情報を決済サーバに送信するセンター送信部とを具備する決済システムにより、簡易なハードウェア構成で、機密性の高いクレジットカードの決済が可能となる。【選択図】図１
2013080385.tif 000002
【特許請求の範囲】
【請求項１】
第一端末、第二端末、およびデータセンターを具備する決済システムであって、
前記第一端末は、
当該第一端末を識別する第一端末識別子を格納している第一端末識別子格納部と、
クレジットカードを識別するクレジットカード識別子を含むクレジットカードに関する情報であるクレジットカード情報を取得するクレジットカード情報取得部と、
前記クレジットカード情報取得部がクレジットカード情報を取得するごとに、ユニークな情報であるユニーク情報を取得するユニーク情報取得部と、
前記ユニーク情報を用いて、前記クレジットカード情報を暗号化し、前記第一端末識別子と前記クレジットカード情報とを有する情報であり、暗号化された情報である第一端末情報を構成する第一端末情報構成部と、
前記第一端末識別子と前記クレジットカード情報とを有する第一端末情報を、前記第二端末に送信する第一端末送信部とを具備し、
前記第二端末は、
当該第二端末を識別する第二端末識別子を格納している第二端末識別子格納部と、
前記第一端末情報を受信する第一端末情報受信部と、
前記第二端末識別子と前記第一端末情報とを有する前記第二端末情報を、前記データセンターに送信する第二端末送信部とを具備し、
前記データセンターは、
前記第二端末情報を受信する第二端末情報受信部と、
前記第二端末情報に基づく情報であり、決済に必要な情報である決済情報を、決済を行う決済サーバに送信するセンター送信部とを具備する決済システム。
【請求項２】
前記データセンターは、
認証に用いる情報であり、第一端末識別子と第二端末識別子とを有する１以上の認証情報を格納し得る認証情報格納部と、
前記第二端末情報受信部が受信した第二端末情報が有する第一端末情報を復号化し、第一端末識別子と第二端末識別子とクレジットカード情報とを取得し、当該第一端末識別子と第二端末識別子とを用いて、前記１以上の認証情報の中の何れかに合致するか否かにより、認証許可または認証不許可の判断をする認証部と、
前記認証部における認証結果を前記第二端末に送信する認証結果送信部とをさらに具備し、
前記センター送信部は、
前記認証部が認証許可の判断を行った場合のみ、前記決済情報を前記決済サーバに送信し、
前記第二端末は、
前記認証結果を受信する認証結果受信部と、
前記認証結果を出力する認証結果出力部とをさらに具備する請求項１記載の決済システム。
【請求項３】
前記ユニーク情報取得部は、
クレジットカード情報を取得した回数を格納し得る回数格納手段と、
前記クレジットカード情報取得部がクレジットカード情報を取得するごとに、前記回数格納手段の回数を読み取り、当該回数をインクリメントし、クレジットカード情報を取得した回数を取得する回数取得手段と、
前記回数取得手段が取得した回数を、前記回数格納手段に蓄積する回数蓄積手段と、
前記回数取得手段が取得した回数を用いて、前記ユニーク情報を取得するユニーク情報取得手段とを具備する請求項１または請求項２記載の決済システム。
【請求項４】
前記第一端末は、
前記第一端末送信部が前記第二端末に第一端末情報を送信した後、クレジットカード識別子およびクレジットカード識別子を含む情報を当該第一端末に保持しない請求項１から請求項３いずれか記載の決済システム。
【請求項５】
前記第二端末は、
前記第二端末送信部が前記データセンターに第二端末情報を送信した後、クレジットカード識別子を含む情報を当該第二端末に保持しない請求項１から請求項４いずれか記載の決済システム。
【請求項６】
前記クレジットカード情報は、
クレジットカード識別子、クレジットカードの名義を識別する名義識別子、およびクレジットカードの有効期限を有する請求項１から請求項５いずれか記載の決済システム。
【請求項７】
前記第一端末は、
クレジットカードリーダーであり、
前記第一端末送信部は、
第一端末情報を、近距離無線通信手段により前記第二端末に送信する請求項１から請求項６いずれか記載の決済システム。
【請求項８】
第一端末、第二端末、第三端末およびデータセンターを具備する決済システムであって、
前記第一端末は、
前記第三端末から第三端末識別子を近距離無線通信手段により受信する第三端末識別子受信部と、
前記第三端末識別子を有する第一端末情報を、前記第二端末に送信する第一端末送信部とを具備し、
前記第二端末は、
当該第二端末を識別する第二端末識別子を格納している第二端末識別子格納部と、
前記第一端末から前記第一端末情報を受信する第一端末情報受信部と、
決済する金額を受け付ける金額受付部と、
前記第二端末識別子と、前記第一端末情報が有する第三端末識別子と、前記金額受付部が受け付けた金額とを有する第二端末情報を、前記データセンターに送信する第二端末送信部とを具備し、
前記第三端末は、
当該第三端末を識別する第三端末識別子を格納している第三端末識別子格納部と、
前記第三端末識別子を第一端末に近距離無線通信手段により送信する第三端末送信部と、
前記データセンターから、前記第二端末識別子と前記金額を有する決済情報を受信する決済情報受信部と、
前記決済情報受信部が受信した決済情報を出力する決済情報出力部と、
決済を遂行する指示である決済指示を受け付ける決済指示受付部と、
前記決済指示受付部が決済指示を受け付けた場合、決済に必要な処理である決済処理を行う決済処理部とを具備し、
前記データセンターは、
前記第二端末から第二端末情報を受信する第二端末情報受信部と、
前記第三端末に、前記第二端末識別子と前記金額を有する決済情報を送信する決済情報送信部とを具備する決済システム。
【請求項９】
前記第二端末は、
前記データセンターから決済処理の結果を受信する結果受信部と、
前記決済処理の結果を出力する結果出力部とをさらに具備し、
前記第三端末は、
前記決済処理部が行った決済処理の結果を前記データセンターに送信する結果送信部をさらに具備し、
前記データセンターは、
前記第三端末から決済処理の結果を受信し、当該決済処理の結果を前記第二端末に送信する結果転送部をさらに具備する請求項７記載の決済システム。
【請求項１０】
請求項１から請求項９いずれか記載の決済システムを構成する第一端末。
【請求項１１】
請求項１から請求項９いずれか記載の決済システムを構成する第二端末。
【請求項１２】
請求項８から請求項９いずれか記載の決済システムを構成する第三端末。
【請求項１３】
請求項１から請求項７いずれか記載の決済システムを構成するデータセンター。
【発明の詳細な説明】
【技術分野】
【０００１】
本発明は、クレジットカードを用いた決済を行える決済システム等に関するものである。
【背景技術】
【０００２】
従来、クレジットカードによる支払いをスムーズに行うことを可能とし、携帯端末を用いてクレジットカードを手軽に使用することが可能なクレジットカード決済システムがあった（例えば、特許文献１参照）。本クレジットカード決済システムは、クレジットカードの信用承認を行う与信照会システムと、クレジットカードの決済を行う決済システムと、クレジットカードの情報を蓄積し、かつモバイルネットワークに接続可能な携帯端末と、携帯端末を通したクレジットカードの決済情報を決済システムに通知する信用照会端末とを含むクレジットカード決済システムは、携帯端末を通したクレジットカードの決済を代行するクレジットカード管理サーバを有し、クレジットカード管理サーバに対して携帯端末から予め設定された利用限度額及びその有効期間をクレジットカード管理サーバ及び携帯端末各々にそれぞれ蓄積するものである。
【先行技術文献】
【特許文献】
【０００３】
【特許文献１】特開２００９−４８５０７号公報（第１頁、第１図等）
【発明の概要】
【発明が解決しようとする課題】
【０００４】
しかしながら、従来の決済システムにおいては、簡易なハードウェア構成で、機密性の高いクレジットカードの決済ができなかった。
【課題を解決するための手段】
【０００５】
本第一の発明の決済システムは、第一端末、第二端末、およびデータセンターを具備する決済システムであって、第一端末は、第一端末を識別する第一端末識別子を格納している第一端末識別子格納部と、クレジットカードを識別するクレジットカード識別子を含むクレジットカードに関する情報であるクレジットカード情報を取得するクレジットカード情報取得部と、クレジットカード情報取得部がクレジットカード情報を取得するごとに、ユニークな情報であるユニーク情報を取得するユニーク情報取得部と、ユニーク情報を用いて、クレジットカード情報を暗号化し、第一端末識別子とクレジットカード情報とを有する情報であり、暗号化された情報である第一端末情報を構成する第一端末情報構成部と、第一端末識別子とクレジットカード情報とを有する第一端末情報を、第二端末に送信する第一端末送信部とを具備し、第二端末は、第二端末を識別する第二端末識別子を格納している第二端末識別子格納部と、第一端末情報を受信する第一端末情報受信部と、第二端末識別子と第一端末情報とを有する第二端末情報を、データセンターに送信する第二端末送信部とを具備し、データセンターは、第二端末情報を受信する第二端末情報受信部と、第二端末情報に基づく情報であり、決済に必要な情報である決済情報を、決済を行う決済サーバに送信するセンター送信部とを具備する決済システムである。
【０００６】
かかる構成により、簡易なハードウェア構成で、機密性の高いクレジットカードの決済が可能となる。
【０００７】
また、本第二の発明の決済システムは、第一の発明に対して、データセンターは、認証に用いる情報であり、第一端末識別子と第二端末識別子とを有する１以上の認証情報を格納し得る認証情報格納部と、第二端末情報受信部が受信した第二端末情報が有する第一端末情報を復号化し、第一端末識別子と第二端末識別子とクレジットカード情報とを取得し、第一端末識別子と第二端末識別子とを用いて、１以上の認証情報の中の何れかに合致するか否かにより、認証許可または認証不許可の判断をする認証部と、認証部における認証結果を第二端末に送信する認証結果送信部とをさらに具備し、センター送信部は、認証部が認証許可の判断を行った場合のみ、決済情報を決済サーバに送信し、第二端末は、認証結果を受信する認証結果受信部と、認証結果を出力する認証結果出力部とをさらに具備する決済システムである。
【０００８】
かかる構成により、簡易なハードウェア構成で、機密性の高いクレジットカードの決済が可能となる。
【０００９】
また、本第三の発明の決済システムは、第一または第二の発明に対して、ユニーク情報取得部は、クレジットカード情報を取得した回数を格納し得る回数格納手段と、クレジットカード情報取得部がクレジットカード情報を取得するごとに、回数格納手段の回数を読み取り、回数をインクリメントし、クレジットカード情報を取得した回数を取得する回数取得手段と、回数取得手段が取得した回数を、回数格納手段に蓄積する回数蓄積手段と、回数取得手段が取得した回数を用いて、ユニーク情報を取得するユニーク情報取得手段とを具備する決済システムである。
【００１０】
かかる構成により、さらに機密性の高いクレジットカードの決済が可能となる。
【００１１】
また、本第四の発明の決済システムは、第一から第三いずれかの発明に対して、第一端末は、第一端末送信部が第二端末に第一端末情報を送信した後、クレジットカード識別子およびクレジットカード識別子を含む情報を第一端末に保持しない決済システムである。
【００１２】
かかる構成により、クレジットカード識別子の漏洩を防止できる。
【００１３】
また、本第五の発明の決済システムは、第一から第四いずれかの発明に対して、第二端末は、第二端末送信部がデータセンターに第二端末情報を送信した後、クレジットカード識別子を含む情報を第二端末に保持しない決済システムである。
【００１４】
かかる構成により、クレジットカード識別子の漏洩を防止できる。
【００１５】
また、本第六の発明の決済システムは、第一から第五いずれかの発明に対して、クレジットカード情報は、クレジットカード識別子、クレジットカードの名義を識別する名義識別子、およびクレジットカードの有効期限を有する決済システムである。
【００１６】
かかる構成により、簡易なハードウェア構成で、機密性の高いクレジットカードの決済が可能となる。
【００１７】
また、本第七の発明の決済システムは、第一から第六いずれかの発明に対して、第一端末は、クレジットカードリーダーであり、第一端末送信部は、第一端末情報を、近距離無線通信手段により第二端末に送信する決済システムである。
【００１８】
かかる構成により、店舗での決済場所を選ばずに、利用者の都合の良い場所で、決済操作が可能となる。
【００１９】
また、本第八の発明の決済システムは、第一端末、第二端末、第三端末およびデータセンターを具備する決済システムであって、第一端末は、第三端末から第三端末識別子を近距離無線通信手段により受信する第三端末識別子受信部と、第三端末識別子を有する第一端末情報を、第二端末に送信する第一端末送信部とを具備し、第二端末は、第二端末を識別する第二端末識別子を格納している第二端末識別子格納部と、第一端末から第一端末情報を受信する第一端末情報受信部と、決済する金額を受け付ける金額受付部と、第二端末識別子と、第一端末情報が有する第三端末識別子と、金額受付部が受け付けた金額とを有する第二端末情報を、データセンターに送信する第二端末送信部とを具備し、第三端末は、第三端末を識別する第三端末識別子を格納している第三端末識別子格納部と、第三端末識別子を第一端末に近距離無線通信手段により送信する第三端末送信部と、データセンターから、第二端末識別子と金額を有する決済情報を受信する決済情報受信部と、決済情報受信部が受信した決済情報を出力する決済情報出力部と、決済を遂行する指示である決済指示を受け付ける決済指示受付部と、決済指示受付部が決済指示を受け付けた場合、決済に必要な処理である決済処理を行う決済処理部とを具備し、データセンターは、第二端末から第二端末情報を受信する第二端末情報受信部と、第三端末に、第二端末識別子と金額を有する決済情報を送信する決済情報送信部とを具備する決済システムである。
【００２０】
かかる構成により、簡易なハードウェア構成で、機密性の高いクレジットカードの決済が可能となる。
【００２１】
また、本第九の発明の決済システムは、第七の発明に対して、第二端末は、データセンターから決済処理の結果を受信する結果受信部と、決済処理の結果を出力する結果出力部とをさらに具備し、第三端末は、決済処理部が行った決済処理の結果をデータセンターに送信する結果送信部をさらに具備し、データセンターは、第三端末から決済処理の結果を受信し、決済処理の結果を第二端末に送信する結果転送部をさらに具備する決済システムである。
【００２２】
かかる構成により、簡易なハードウェア構成で、機密性の高いクレジットカードの決済が可能となる。
【００２３】
また、本第十の発明の決済システムは、第一端末、第二端末、およびデータセンターを具備する決済システムであって、第一端末は、第一端末を識別する第一端末識別子を格納している第一端末識別子格納部と、第一端末の位置を示す位置情報を取得する第一位置情報取得部と、決済する金額を受け付ける金額受付部と、第一端末識別子と位置情報と金額とを有する第一端末情報をデータセンターに送信する第一端末送信部と、第一端末情報の送信に対応して、データセンターから決済を特定する決済識別子を受信する決済識別子受信部とを具備し、第二端末は、第二端末の位置を示す位置情報を取得する第二位置情報取得部と、位置情報をデータセンターに送信する第二位置情報送信部と、データセンターから、第一端末識別子と決済識別子と金額とを有する決済情報を受信する決済情報受信部と、金額を出力する金額出力部と、クレジットカードを識別するクレジットカード識別子を含むクレジットカードに関する情報であるクレジットカード情報を取得するクレジットカード情報取得部と、決済識別子とクレジットカード情報とを有する第二端末情報を、データセンターに送信する第二端末送信部とを具備し、データセンターは、第一端末情報を受信する第一端末情報受信部と、第一端末情報を受信したことに応じて、ユニークな決済識別子を取得する決済識別子取得部と、決済識別子を第一端末に送信する決済識別子送信部と、第二端末情報を受信する第二端末情報受信部と、第二端末情報が有する決済識別子と、決済識別子取得部が取得した決済識別子とを用いて、決済の正当性を判断する認証部と、認証部が、決済が正当であると判断した場合、第二端末情報が有するクレジットカード情報と、第一端末情報または第二端末情報が有する金額とを有する決済情報を、決済を行う決済サーバに送信するセンター送信部とを具備する決済システムである。
【００２４】
かかる構成により、簡易なハードウェア構成で、機密性の高いクレジットカードの決済が可能となる。
【００２５】
また、本第十一の発明の決済システムは、第十の発明に対して、第二端末は、２以上のクレジットカード識別子を格納しているクレジットカード識別子格納部と、２以上のクレジットカード識別子を出力するクレジットカード識別子出力部と、２以上のクレジットカード識別子から一のクレジットカード識別子の選択、およびパスワードを受け付ける受付部とをさらに具備し、クレジットカード情報は、選択されたクレジットカード識別子とパスワードとを含む決済システムである。
【００２６】
かかる構成により、簡易なハードウェア構成で、機密性の高いクレジットカードの決済が可能となる。
【００２７】
また、本第十二の発明の決済システムは、第一から第十一いずれかの発明に対して、第二端末は、撮影し、写真を取得する撮影部と、第二端末送信部が第二端末情報を、データセンターに送信した後、所定の動作が行われるまでに、撮影部が取得した写真を、決済に関する情報と対応付けて蓄積する写真蓄積部とをさらに具備する決済システムである。
【００２８】
かかる構成により、決済時の状況を示す情報を容易に残すことができる。
【発明の効果】
【００２９】
本発明による決済システムによれば、簡易なハードウェア構成で、機密性の高いクレジットカードの決済が可能となる。
【図面の簡単な説明】
【００３０】
【図１】実施の形態１における決済システム１の概念図
【図２】決済システム１のブロック図
【図３】第一端末１１の動作について説明するフローチャート
【図４】第二端末１２の動作について説明するフローチャート
【図５】データセンター１３の動作について説明するフローチャート
【図６】第二端末１２の画面遷移を示す図
【図７】実施の形態２における決済システム２の概念図
【図８】決済システム２のブロック図
【図９】第一端末２１の動作について説明するフローチャート
【図１０】第二端末２２の動作について説明するフローチャート
【図１１】データセンター２３の動作について説明するフローチャート
【図１２】決済システム２の具体的な動作について説明する図
【図１３】第二端末２２の出力例を示す図
【図１４】実施の形態３における決済システム２の概念図
【図１５】同決済システム３のブロック図
【図１６】同第二端末３２の動作について説明するフローチャート
【図１７】同第三端末３３の動作について説明するフローチャート
【図１８】同決済システム３の具体的な動作の概念図
【図１９】同画面の例を示す図
【図２０】同コンピュータシステムの概観図
【図２１】同コンピュータシステムのブロック図
【発明を実施するための形態】
【００３１】
以下、決済システム等の実施形態について図面を参照して説明する。なお、実施の形態において同じ符号を付した構成要素は同様の動作を行うので、再度の説明を省略する場合がある。
【００３２】
（実施の形態１）
本実施の形態において、第一端末、第二端末、データセンター、決済サーバとを具備する決済システムについて説明する。図１は、本実施の形態における決済システム１の概念図である。
【００３３】
図２は、本実施の形態における決済システム１のブロック図である。
【００３４】
決済システム１は、第一端末１１、第二端末１２、データセンター１３、および決済サーバ１４を具備する。
【００３５】
第一端末１１は、第一端末識別子格納部１１１、クレジットカード情報取得部１１２、ユニーク情報取得部１１３、第一端末情報構成部１１４、第一端末送信部１１５、および第一削除部１１６を具備する。
【００３６】
また、ユニーク情報取得部１１３は、回数格納手段１１３１、回数取得手段１１３２、回数蓄積手段１１３３、およびユニーク情報取得手段１１３４を具備しても良い。
【００３７】
第二端末１２は、第二端末識別子格納部１２１、受付部１２２、第一端末情報受信部１２３、第二端末情報構成部１２４、第二端末送信部１２５、第二削除部１２６、撮影部１２７、写真蓄積部１２８、認証結果受信部１２９、および認証結果出力部１３０を具備する。
【００３８】
データセンター１３は、第二端末情報受信部１３１、決済情報送信部１３２、認証情報格納部１３３、認証部１３４および認証結果送信部１３５を具備する。
【００３９】
決済サーバ１４は、決済情報受信部１４１、および決済処理部１４２を具備する。
【００４０】
第一端末１１は、クレジットカードリーダーであることは好適である。また、第一端末１１は、第一端末送信部１１５が第二端末１２に第一端末情報を送信した後、クレジットカード識別子およびクレジットカード識別子を含む情報を第一端末１１に保持しないことは好適である。
【００４１】
第一端末１１を構成する第一端末識別子格納部１１１は、第一端末１１を識別する第一端末識別子を格納している。第一端末識別子は、数字列、文字列等、第一端末１１を識別する情報であれば何でも良い。
【００４２】
クレジットカード情報取得部１１２は、クレジットカードに関する情報であるクレジットカード情報を取得する。クレジットカード情報は、クレジットカードを識別するクレジットカード識別子を含む。クレジットカード情報取得部１１２は、クレジットカードリーダーであることが好適である。ただし、クレジットカード情報取得部１１２は、ユーザにより入力されたクレジットカード識別子、または予め格納されているクレジットカード識別子を取得しても良い。クレジットカード情報は、例えば、クレジットカード識別子、クレジットカードの名義を識別する名義識別子、およびクレジットカードの有効期限を有する。クレジットカード情報は、クレジットカード識別子を有すれば、他のいかなる情報を有しても良い。クレジットカード識別子は、通常、クレジットカード番号であるが、クレジットカードを識別する情報であれば何でも良い。
【００４３】
ユニーク情報取得部１１３は、クレジットカード情報取得部１１２がクレジットカード情報を取得するごとに、ユニークな情報であるユニーク情報を取得する。ユニーク情報取得部１１３は、例えば、図示しない時計から現在時刻（年月日時分秒など）を取得し、当該現在時刻と発生させた乱数（桁数は何でも良い）とを結合した文字列を生成しても良い。また、ユニーク情報取得部１１３は、予め決められたすべての文字の集合（アルファベット２６文字、数字１０文字、特殊文字など）から、乱数を用いて、一の文字を選択し、当該選択をｎ（ｎは１以上の整数）回、繰り返し、ｎ文字の文字列を取得しても良い。ユニーク情報取得部１１３は、後述するスワイプ回数を用いて、ユニーク情報を取得することは好適である。ユニーク情報取得部１１３は、例えば、スワイプ回数と現在時刻（年月日時分秒など）を取得し、当該スワイプ回数と現在時刻と発生させた乱数（桁数は何でも良い）とを結合した文字列を生成しても良い。ユニーク情報取得部１１３がユニーク情報を取得する方法は問わない。ユニーク情報は、ユニークであることを保証された情報でなくても良い。ただし、ユニーク情報取得部１１３は、ユニークである確率の高い方法で、ユニーク情報を取得することは好適である。
【００４４】
ユニーク情報取得部１１３を構成する回数格納手段１１３１は、クレジットカード情報がクレジットカード情報を取得した回数を格納し得る。クレジットカード情報を取得した回数とは、通常、クレジットカード情報をクレジットカードから読み取ったトータル回数である。クレジットカード情報を取得した回数は、スワイプ回数、または読み取り回数と言っても良い。
【００４５】
回数取得手段１１３２は、クレジットカード情報取得部１１２がクレジットカード情報を取得するごとに、回数格納手段１１３１の回数を読み取り、当該回数をインクリメントし、クレジットカード情報を取得した回数を取得する。
【００４６】
回数蓄積手段１１３３は、回数取得手段１１３２が取得した回数を、回数格納手段１１３１に蓄積する。
【００４７】
ユニーク情報取得手段１１３４は、回数取得手段１１３２が取得した回数を用いて、ユニーク情報を取得する。ユニーク情報取得手段１１３４は、スワイプ回数と現在時刻（年月日時分秒など）を取得し、当該スワイプ回数と現在時刻と発生させた乱数（桁数は何でも良い）とを結合した文字列を生成しても良い。
【００４８】
第一端末情報構成部１１４は、ユニーク情報を用いて、クレジットカード情報を暗号化する。そして、第一端末情報構成部１１４は、第一端末識別子とクレジットカード情報とを有する情報であり、暗号化された情報である第一端末情報を構成する。ここで、第一端末情報構成部１１４は、通常、クレジットカード情報のみを暗号化するが、第一端末識別子をも暗号化しても良い。つまり、ここで、一部の情報（例えば、クレジットカード情報）のみ暗号化しも良い。また、第一端末情報構成部１１４は、暗号化したクレジットカード情報、第一端末識別子に加えて、上述したスワイプ回数または／および他のキーを有する第一端末情報を構成しても良い。つまり、第一端末情報には、第一端末識別子とクレジットカード情報とが含まれれば良い。また、第一端末情報は、ユニーク情報を有するので、一の決済を識別する情報になり得る。また、第一端末情報構成部１１４が情報を暗号化する暗号化アルゴリムは問わない。第一端末情報構成部１１４は、例えば、第一端末識別子「Ａ０１」、カード名義識別子「ＴＡＲＯ  ＹＡＭＡＤＡ」、カード有効期限（年２桁）「１３」、カード有効期限（月）「５」、ユニーク情報「ＡＢＣ＆３８９？ｃｅｕ」を連結して、基準文字列Ｃ「Ａ０１ＴＡＲＯ  ＹＡＭＡＤＡ１３５ＡＢＣ＆３８９？ｃｅｕ」を生成する。そして、第一端末情報構成部１１４は、基準文字列Ｃを予め決められた暗号化アルゴリズムにより、暗号化し、第一端末情報を得る。
【００４９】
第一端末送信部１１５は、第一端末情報を、近距離無線通信手段により第二端末１２に送信する。なお、第一端末送信部１１５は、近距離無線通信手段ではなく、有線や他の無線通信手段により、第一端末情報を第二端末１２に送信しても良い。なお、近距離無線通信手段とは、Ｂｌｕｅｔｏｏｔｈ（登録商標）、ＮＦＣ等、何でも良い。
【００５０】
第一削除部１１６は、第一端末送信部１１５が第二端末１２に第一端末情報を送信した後、第一端末情報を削除する。なお、第一削除部１１６の削除処理により、通常、第一端末情報やクレジットカード情報は、第一端末１１には残らない。なお、第一端末情報やクレジットカード情報を削除せずに、情報を改変するなど、実質的に、第一端末情報やクレジットカード情報が第一端末１１に残らなければ良い。
【００５１】
第二端末１２は、携帯端末、携帯電話であることは好適である。また、第二端末１２は、いわゆるスマートフォンであることは好適である。
【００５２】
第二端末１２を構成する第二端末識別子格納部１２１は、第二端末１２を識別する第二端末識別子を格納している。第二端末識別子は、第二端末１２を識別する情報であれば何でも良い。第二端末識別子は、例えば、電話番号、ＭＡＣアドレス、機器製造番号、店舗に割り当てられたユニークな識別子等である。
【００５３】
受付部１２２は、指示やデータ等を受け付ける。受付部１２２は、例えば、ユーザからパスワードやサインを受け付ける。また、受付部１２２は、例えば、決済のための金額の入力を受け付ける。また、受付部１２２は、例えば、写真撮影の指示を受け付ける。
【００５４】
指示やデータ等の入力手段は、タッチパネル、電子ペン、キーボード、マウス、またはメニュー画面によるもの等、何でも良い。受付部１２２は、タッチパネルやキーボード等の入力手段のデバイスドライバーや、メニュー画面の制御ソフトウェア等で実現され得る。
【００５５】
第一端末情報受信部１２３は、第一端末１１から第一端末情報を受信する。第一端末情報受信部１２３は、通常、近距離無線通信手段により実現されるが、有線の通信手段や他の無線の通信手段で実現されても良い。
【００５６】
第二端末情報構成部１２４は、第二端末識別子と第一端末情報とを用いて、第二端末情報を構成する。第二端末情報構成部１２４は、例えば、第一端末情報を復号化せずに、第一端末情報に第二端末識別子を付加して、第二端末情報を構成することが好適である。なお、第二端末情報構成部１２４は、例えば、第一端末情報受信部１２３が受信した第一端末情報の復号化し、当該復号化した第一端末情報と第二端末識別子とを結合し、情報を構成し、当該情報を暗号化して、第二端末情報を取得しても良い。なお、第二端末情報構成部１２４が暗号化を行う場合、当該暗号化の方法と、第一端末情報構成部１１４が行う暗号化方法とは、異なる暗号化方法であることは好適であるが、同一の暗号化方法でも良い。
【００５７】
第二端末送信部１２５は、第二端末情報構成部１２４が構成した第二端末情報をデータセンター１３に送信する。
【００５８】
第二端末送信部１２５は、通常、無線または有線の通信手段で実現されるが、放送手段で実現されても良い。
【００５９】
第二削除部１２６は、第二端末送信部１２５がデータセンター１３に第二端末情報を送信した後、第二端末情報を削除する。つまり、第二削除部１２６による本削除処理により、第二端末情報およびクレジットカード情報は、第二端末１２に残らない。なお、第二端末情報を削除せずに、情報を改変するなど、実質的に、第二端末情報が第二端末１２に残らなければ良い。
【００６０】
撮影部１２７は、撮影し、写真を取得する。撮影する対象は、通常、決済の証拠となるものである。撮影する対象は、例えば、決済者（商品等を購入した者など）の顔や、商品等を購入した店舗等が好適であるが、何でも良い。撮影部１２７は、ＣＣＤカメラ等により実現され得る。
【００６１】
写真蓄積部１２８は、第二端末送信部１２５が第二端末情報をデータセンター１３に送信した後、所定の動作が行われるまでに、撮影部１２７が取得した写真を、決済に関する情報と対応付けて蓄積する。決済に関する情報とは、例えば、金額、クレジットカード情報の一部または全部、決済識別子、ユーザが入力したサイン、ユーザが入力したパスワード等である。なお、決済識別子とは、決済を識別する情報であり、どのように取得されても良い。決済識別子は、例えば、実施の形態２で説明するように、データセンター１３から受信しても良いし、日時等を用いて生成されても良い。
【００６２】
認証結果受信部１２９は、データセンター１３から認証結果を受信する。認証結果とは、クレジットカードを用いた決済が正常に行われるべきか否かを示す情報である。認証結果とは、クレジットカードを用いた決済が正常に行われたか否かを示す情報でも良い。また、認証結果とは、第一端末１１と第二端末１２とクレジットカードの認証である、と言える。認証結果受信部１２９は、通常、無線または有線の通信手段で実現されるが、放送を受信する手段で実現されても良い。
【００６３】
認証結果出力部１３０は、認証結果受信部１２９が受信した認証結果を出力する。出力とは、通常、表示であるが、音声出力、蓄積、他の処理への情報の引き渡し等でも良い。認証結果出力部１３０は、ディスプレイとそのドライバーソフトウェア等により実現され得る。
【００６４】
データセンター１３は、第二端末１２と決済サーバ１４との中継を行う装置である。データセンター１３は、例えば、決済の認証処理を行う。なお、データセンター１３が決済処理までも行っても良い。
【００６５】
データセンター１３を構成する第二端末情報受信部１３１は、第二端末１２から第二端末情報を受信する。
【００６６】
第二端末情報受信部１３１は、通常、無線または有線の通信手段で実現されるが、放送を受信する手段で実現されても良い。
【００６７】
決済情報送信部１３２は、第二端末情報に基づく情報であり、決済に必要な情報である決済情報を、決済を行う決済サーバ１４に送信する。なお、決済情報は、第二端末情報と同じ情報でも良いし、第二端末情報と他の情報（例えば、決済識別子）を含む情報でも良いし、第二端末情報の一部からなる情報でも良い。
【００６８】
決済情報送信部１３２は、通常、無線または有線の通信手段で実現されるが、放送手段で実現されても良い。
【００６９】
認証情報格納部１３３は、１以上の認証情報を格納し得る。認証情報は、認証に用いる情報である。認証情報は、例えば、第一端末識別子と第二端末識別子とを有する。
【００７０】
認証部１３４は、第二端末情報受信部１３１が受信した第二端末情報が有する第一端末情報を復号化し、第一端末識別子と第二端末識別子とクレジットカード情報とを取得し、当該第一端末識別子と第二端末識別子とを用いて、１以上の認証情報の中の何れかに合致するか否かにより、認証許可または認証不許可の判断をする。なお、復号化の方法は問わない。復号化の処理は公知技術であるので、詳細な説明は省略する。
【００７１】
認証結果送信部１３５は、認証部１３４における認証結果を第二端末１２に送信する。認証結果送信部１３５は、通常、無線または有線の通信手段で実現されるが、放送手段で実現されても良い。
【００７２】
決済サーバ１４は、決済処理を行う装置である。決済処理は、決済に関する処理であれば何でも良い。
【００７３】
決済サーバ１４を構成する決済情報受信部１４１は、データセンター１３から決済情報を受信する。
【００７４】
決済情報受信部１４１は、通常、無線または有線の通信手段で実現されるが、放送を受信する手段で実現されても良い。
【００７５】
決済処理部１４２は、決済情報受信部１４１が受信した決済情報を用いて、決済処理を行う。決済処理は、決済を実行する処理であれば何でも良い。決済処理は公知技術であるので、詳細な説明を省略する。なお、決済処理部１４２は、決済処理の結果をデータセンター１３に送信しても良い。かかる場合、データセンター１３の図示しない受信手段は、決済処理の結果を、決済サーバ１４から受信する。
【００７６】
第一端末識別子格納部１１１、第二端末識別子格納部１２１、および認証情報格納部１３３は、不揮発性の記録媒体が好適であるが、揮発性の記録媒体でも実現可能である。第一端末識別子格納部１１１等に第一端末識別子等が記憶される過程は問わない。例えば、記録媒体を介して第一端末識別子等が第一端末識別子格納部１１１等で記憶されるようになってもよく、通信回線等を介して送信された第一端末識別子等が第一端末識別子格納部１１１等で記憶されるようになってもよく、あるいは、入力デバイスを介して入力された第一端末識別子等が第一端末識別子格納部１１１等で記憶されるようになってもよい。
【００７７】
ユニーク情報取得部１１３、第一端末情報構成部１１４、第一削除部１１６、第二端末情報構成部１２４、第二削除部１２６、写真蓄積部１２８、認証部１３４および決済処理部１４２は、通常、ＭＰＵやメモリ等から実現され得る。ユニーク情報取得部１１３等の処理手順は、通常、ソフトウェアで実現され、当該ソフトウェアはＲＯＭ等の記録媒体に記録されている。但し、ハードウェア（専用回路）で実現しても良い。
【００７８】
次に、決済システム１の動作について説明する。まず、第一端末１１の動作について、図３のフローチャートを用いて説明する。
【００７９】
（ステップＳ３０１）クレジットカード情報取得部１１２は、クレジットカード識別子を含むクレジットカード情報を取得したか否かを判断する。クレジットカード情報を取得すればステップＳ３０２に行き、取得しなければステップＳ３０１に戻る。なお、クレジットカード情報取得部１１２は、クレジットカードの情報を読み取ることにより、クレジットカード情報を取得する。
【００８０】
（ステップＳ３０２）第一端末情報構成部１１４は、第一端末識別子格納部１１１から第一端末識別子を読み出す。
【００８１】
（ステップＳ３０３）第一端末情報構成部１１４は、ステップＳ３０１で取得されたクレジットカード情報から、第一端末情報を構成するために必要な情報を取得する。
【００８２】
（ステップＳ３０４）ユニーク情報取得部１１３は、ユニーク情報を生成する。ユニーク情報取得部１１３は、通常、スワイプ回数を取得し、当該スワイプ回数を用いて、ユニーク情報を生成する。また、かかる場合、ユニーク情報取得部１１３は、スワイプ回数を回数格納手段１１３１に蓄積する。
【００８３】
（ステップＳ３０５）第一端末情報構成部１１４は、第一端末識別子とクレジットカード情報とユニーク情報とを用いて、第一端末情報を構成するための文字列を取得する。第一端末情報構成部１１４は、例えば、第一端末識別子とクレジットカード情報とユニーク情報とを、予め決められた順序で結合した文字列を取得する。
【００８４】
（ステップＳ３０６）第一端末情報構成部１１４は、ステップＳ３０５で取得した文字列に対して暗号化し、第一端末情報を構成する。なお、第一端末情報構成部１１４は、例えば、ユニーク情報を用いてクレジットカード情報を暗号化し、当該暗号化したクレジットカード情報に第一端末識別子を付加して第一端末情報を構成しても良い。
【００８５】
（ステップＳ３０７）第一端末送信部１１５は、ステップＳ３０６で取得された第一端末情報を、近距離無線通信手段により第二端末１２に送信する。
【００８６】
（ステップＳ３０８）第一削除部１１６は、第一端末情報を削除する。ここで、第一削除部１１６は、通常、クレジットカード情報も削除する。処理を終了する。
【００８７】
なお、図３のフローチャートにおいて、第一端末１１が動作する前に、何らかの手段、方法により、第一端末１１と第二端末１２とをアクティベイトして、第一端末１１と第二端末１２とが通信可能な状態になっていることは好適である。何らかの手段、方法とは、例えば、近距離無線通信により、相互に通信しあうこと等である。
【００８８】
次に、第二端末１２の動作について、図４のフローチャートを用いて説明する。
【００８９】
（ステップＳ４０１）第一端末情報受信部１２３は、第一端末１１から第一端末情報を受信したか否かを判断する。第一端末情報を受信すればステップＳ４０２に行き、受信しなければステップＳ４０１に戻る。
【００９０】
（ステップＳ４０２）受付部１２２は、ユーザから、決済のための金額等の必要な情報を受け付けたか否かを判断する。必要な情報を受け付ければステップＳ４０３にき、必要な情報を受け付けなければステップＳ４０２に戻る。なお、必要な情報は、例えば、パスワードまたはサイン等の情報を含むことは好適である。
【００９１】
（ステップＳ４０３）第二端末情報構成部１２４は、第二端末識別子格納部１２１から、第二端末識別子を取得する。
【００９２】
（ステップＳ４０４）第二端末情報構成部１２４は、ステップＳ４０１で受信された第一端末情報から、第二端末情報を構成するために必要な情報を取得する。ここで、第二端末情報構成部１２４は、例えば、第一端末情報を、そのまま取得しても良い。また、第二端末情報構成部１２４は、第一端末情報を復号化し、当該復号化した第一端末情報から必要な情報を取得しても良い。また、必要な情報は、第一端末情報を構成するすべての情報でも良い。
【００９３】
（ステップＳ４０５）第二端末情報構成部１２４は、ステップＳ４０３で取得した第二端末識別子、およびステップＳ４０４で取得した情報から、第二端末情報を構成する。なお、第二端末情報構成部１２４は、ステップＳ４０２で受け付けられた情報のうちの一部または全部をも用いて、第二端末情報の元になる情報を構成し、当該情報を暗号化し、第二端末情報を構成するなどしても良い。
【００９４】
（ステップＳ４０６）受付部１２２は、撮影する指示を受け付けたか否かを判断する。撮影する指示を受け付ければステップＳ４０７に行き、受け付けなければステップＳ４０８に行く。
【００９５】
（ステップＳ４０７）撮影部１２７は、撮影し、写真を取得する。そして、写真蓄積部１２８は、撮影部１２７が取得した写真を、決済に関する情報と対応付けて蓄積する。
【００９６】
（ステップＳ４０８）第二端末送信部１２５は、第二端末情報構成部１２４が構成した第二端末情報をデータセンター１３に送信する。
【００９７】
（ステップＳ４０９）第二削除部１２６は、第二端末情報を削除する。また、第二削除部１２６は、通常、第一端末情報も削除する。
【００９８】
（ステップＳ４１０）認証結果受信部１２９は、データセンター１３から、認証結果を受信したか否かを判断する。認証結果を受信すればステップＳ４１１に行き、認証結果を受信しなければステップＳ４１０に戻る。
【００９９】
（ステップＳ４１１）認証結果出力部１３０は、ステップＳ４１０で受信された認証結果を出力する。処理を終了する。
【０１００】
なお、図４のフローチャートにおいて、第一端末情報を受信したり、決済のための金額、およびパスワードまたはサイン等の必要な情報を受け付けたりする動作の順序は、上記に拘束されない。つまり、図４のフローチャートにおいて、動作の順序が変わっても良いステップがあることは言うまでもない。
【０１０１】
また、図４のフローチャートにおいて、認証結果を出力後に、第二端末情報を削除するなどしても良い。
【０１０２】
次に、データセンター１３の動作について、図５のフローチャートを用いて説明する。
【０１０３】
（ステップＳ５０１）データセンター１３の第二端末情報受信部１３１は、第二端末１２から第二端末情報を受信したか否かを判断する。第二端末情報を受信すればステップＳ５０２に行き、第二端末情報を受信しなければステップＳ５０１に戻る。
【０１０４】
（ステップＳ５０２）認証部１３４は、ステップＳ５０１で受信された第二端末情報が有する第一端末情報を復号化する。そして、認証部１３４は、第一端末識別子と第二端末識別子とクレジットカード情報とを取得する。
【０１０５】
（ステップＳ５０３）認証部１３４は、認証処理を行う。つまり、認証部１３４は、第一端末識別子と第二端末識別子とを用いて、１以上の認証情報の中の何れかに合致するか否かにより、認証許可または認証不許可の判断をする。１以上の認証情報の中の何れかに合致するか否かの判断は、認証情報の中に、第一端末識別子と第二端末識別子とを含む情報が存在するか否かの判断でも良い。
【０１０６】
（ステップＳ５０４）認証部１３４における認証結果が認証許可である場合はステップＳ５０５に行き、認証不許可である場合ステップＳ５０６に行く。
【０１０７】
（ステップＳ５０５）決済情報送信部１３２は、第二端末情報に基づく情報であり、決済に必要な情報である決済情報を、決済を行う決済サーバ１４に送信する。なお、決済情報は、クレジットカード情報を含む。
【０１０８】
（ステップＳ５０６）認証結果送信部１３５は、ステップＳ５０３における認証結果を第二端末１２に送信する。
【０１０９】
次に、決済サーバ１４の動作について説明する。決済サーバ１４の決済情報受信部１４１は、データセンター１３から決済情報を受信する。次に、決済処理部１４２は、決済情報受信部１４１が受信した決済情報を用いて、決済処理を行う。
【０１１０】
以下、本実施の形態における決済システム１の具体的な動作について説明する。決済システム１の概念図は図１である。
【０１１１】
まず、第二端末１２のユーザ（ここでは、店舗の店員）は、決済システム１を構成するソフトウェア（アプリケーション）を起動する指示を入力する。なお、このソフトウェアは、第二端末１２の動作を実現するソフトウェアであり、予めインストールされているものとする。そして、第二端末１２の受付部１２２は、ソフトウェアの起動指示を受け付ける。そして、ソフトウェアが起動される（図６の６０１、６０２参照）。
【０１１２】
次に、例えば、店舗の店員は、第一端末１１もアクティベイトする。以上より、第一端末１１と第二端末１２とは、通信可能となる。
【０１１３】
次に、そして、第二端末１２のユーザは、第二端末１２の画面（６０２参照）から「スワイプ決済」の項目を選択する。次に、第二端末１２の受付部１２２は、「スワイプ決済」の項目を選択する指示を受け付け、図６の６０３の画面を表示する。
【０１１４】
次に、第二端末１２のユーザは、６０３の画面に対して、金額「１９，８００」を入力し、「決定」ボタンを押下する。なお、ここで、ユーザは、備考のフィールドに情報を入力しても良い。
【０１１５】
次に、第二端末１２の受付部１２２は、金額「１９，８００」を受け付ける。そして、受付部１２２は、「決定」ボタンの押下を受け付ける。
【０１１６】
次に、第二端末１２は、６０４の画面を表示する。なお、６０１、６０２、６０３、
６０４等の画面は、予め、第二端末１２が保持している、とする。
【０１１７】
次に、６０４の画面の指示に従って、第一端末１１のユーザは、クレジットカードの情報を第一端末１１に読み込ませる動作を行う。次に、第一端末１１のクレジットカード情報取得部１１２は、クレジットカードから、クレジットカード番号（クレジットカード識別子の一例）「４９８０１２１２３４５６０００１」、名義識別子「ＴＡＲＯ  ＹＡＭＡＤＡ」、有効期限「２０１３０５」を有するクレジットカード情報を読み込む。
【０１１８】
次に、第一端末１１の第一端末情報構成部１１４は、第一端末識別子格納部１１１から第一端末識別子（例えば、「ＰＧ００００００００１」）を読み出す。
【０１１９】
次に、第一端末情報構成部１１４は、取得されたクレジットカード情報から、第一端末情報を構成するために必要な情報（ここでは、例えば、クレジットカード番号「４９８０１２１２３４５６０００１」、名義識別子「ＴＡＲＯ  ＹＡＭＡＤＡ」、有効期限の年２桁「１２」、有効期限の月「９」）を取得する。
【０１２０】
次に、ユニーク情報取得部１１３は、ユニーク情報（例えば、「ｔ＆ｉｂ３Ｍｋ９？ｃｅｕＱＷｑｈｖＭＫＭ」）を生成する。
【０１２１】
次に、第一端末情報構成部１１４は、第一端末識別子とクレジットカード情報とユニーク情報とを用いて、第一端末情報を構成するための文字列を取得する。ここで、第一端末情報構成部１１４は、例えば、文字列「ＰＧ００００００００１４９８０１２１２３４５６０００１ＴＡＲＯ  ＹＡＭＡＤＡ１２９ｔ＆ｉｂ３Ｍｋ９？ｃｅｕＱＷｑｈｖＭＫＭ」を取得する。
【０１２２】
次に、第一端末情報構成部１１４は、取得した上記の文字列に対して暗号化し、第一端末情報を構成する。なお、第一端末情報構成部１１４は、上述したスワイプ回数を用いて、上記の文字列を暗号化して、第一端末情報を構成しても良い。
【０１２３】
第一端末送信部１１５は、取得された第一端末情報を、近距離無線通信手段（ここでは、Ｂｌｕｅｔｏｏｔｈ（登録商標））により第二端末１２に送信する。
【０１２４】
次に、第一削除部１１６は、第一端末情報を削除する。また、第一削除部１１６は、クレジットカード情報も削除する。
【０１２５】
次に、第二端末１２の第一端末情報受信部１２３は、第一端末１１から第一端末情報を受信する。なお、第一端末情報は、ここでは、文字列「ＰＧ００００００００１４９８０１２１２３４５６０００１ＴＡＲＯ  ＹＡＭＡＤＡ１３５ｔ＆ｉｂ３Ｍｋ９？ｃｅｕＱＷｑｈｖＭＫＭ」を暗号化した情報である。
【０１２６】
次に、第二端末１２の図示しない手段は、受信された第一端末情報を復号化し、クレジットカード番号（一部を隠蔽し、一部のみを表示したもの）、有効期限、名義識別子を出力する（図６の６０５参照）。なお、６０５は、第二端末１２のユーザのクレジットカード情報の確認画面である。また、６０５において、クレジットカード識別子の前方Ｎ桁（ここでは、６桁）の数字と、後方Ｍ桁（ここでは、４桁）の数字とを表示し、他の数字は「Ｘ」等の隠し文字を表示している。かかることにより、クレジットカードの所有者にはクレジットカード識別子を確認しやすく、かつ、第三者にはクレジットカード識別子を読み取り難くしている。なお、上記で、ＮとＭは１以上の自然数であり、Ｎ＋Ｍは「クレジットカード識別子の桁数−１」以下である。
【０１２７】
次に、第二端末１２のユーザは、決済処理を進めるべく、６０５の画面の「決済」ボタンを押下する。
【０１２８】
次に、第二端末１２は、サインの入力画面６０６を表示する。なお、サインの入力画面６０６も、予め第二端末１２に格納されている、とする。
【０１２９】
次に、商品またはサービスを購入した購入者は、サインの入力画面６０６に対して、サインを入力する、とする。すると、受付部１２２は、サインを受け付け、図示しないバッファにサインを一時格納する。
【０１３０】
次に、第二端末情報構成部１２４は、第二端末識別子格納部１２１から、第二端末識別子「０９０１１１１２２２２」を取得する。なお、ここでは、第二端末識別子は、第二端末１２の電話番号である、とする。
【０１３１】
次に、第二端末情報構成部１２４は、受信された第一端末情報から、第二端末情報を構成するために必要な情報を取得する。ここで、必要な情報は、例えば、第一端末識別子「ＰＧ００００００００１」、クレジットカード番号「４９８０１２１２３４５６０００１」、名義識別子「ＴＡＲＯ  ＹＡＭＡＤＡ」、有効期限の年２桁「１２」、有効期限の月「９」、およびユニーク情報「ｔ＆ｉｂ３Ｍｋ９？ｃｅｕＱＷｑｈｖＭＫＭ」である、とする。
【０１３２】
次に、第二端末情報構成部１２４は、第二端末識別子、および上記の必要な情報を用いて、第二端末情報の元になる情報「ＰＧ００００００００１４９８０１２１２３４５６０００１ＴＡＲＯ  ＹＡＭＡＤＡ１２９ｔ＆ｉｂ３Ｍｋ９？ｃｅｕＱＷｑｈｖＭＫＭ０９０１１１１２２２２」を用いて、第二端末情報を構成する。第二端末情報構成部１２４は、例えば、暗号化されている第一端末情報に、第二端末識別子を付加した第二端末情報を構成する。なお、第二端末情報構成部１２４は、第二端末識別子、および上記の必要な情報を用いて、第二端末情報の元になる情報を構成し、当該情報を暗号化し、第二端末情報を構成しても良い。なお、第二端末情報は、第一端末識別子と第二端末識別子とを有する。
【０１３３】
次に、購入者は、写真撮影の指示を入力した、とする。そして、受付部１２２は、撮影する指示を受け付ける。次に、撮影部１２７は、撮影し、写真を取得する。かかる表示例は、図６の６０７である。
【０１３４】
次に、写真蓄積部１２８は、撮影部１２７が取得した写真を、決済に関する情報と対応付けて蓄積する。ここで、決済に関する情報とは、ユーザが入力した金額、サイン、暮れジッドカード情報の一部または全部（例えば、名義識別子等）である。また、図示しない現在位置取得手段が現在位置（例えば、（緯度，経度））を取得し、当該現在位置も、取得した写真と対応付けて蓄積しても良い。
【０１３５】
次に、第二端末送信部１２５は、第二端末情報構成部１２４が構成した第二端末情報をデータセンター１３に送信する。
【０１３６】
次に、第二削除部１２６は、第二端末情報を削除する。また、第二削除部１２６は、第一端末情報も削除する。
【０１３７】
次に、第二端末１２のユーザは、決済の証拠書類の出力指示を第二端末１２に入力した、とする。そして、受付部１２２は、証拠書類の出力指示を受け付ける。そして、第二端末１２の図示しない出力部は、出力指示に対応する証拠書類を出力する。証拠書類の出力例は、図６の６０８である。６０８において、クレジットカード情報の一部、金額、写真、地図が出力されている。なお、決済に関する情報に含まれる現在位置を用いて、図示しない地図情報取得部が図示しない地図情報格納部から地図を取得し、出力するものとする。
【０１３８】
次に、データセンター１３の第二端末情報受信部１３１は、第二端末１２から第二端末情報を受信する。そして、決済情報送信部１３２は、第二端末情報に基づく情報であり、決済に必要な情報である決済情報を、決済を行う決済サーバ１４に送信する。なお、決済情報送信部１３２は、通常、暗号化されている第二端末情報を復号化し、決済に必要な情報である決済情報を構成する。そして、決済情報送信部１３２は、決済情報を、決済を行う決済サーバ１４に送信する。なお、データセンター１３には、通常、本決済の情報が蓄積される。また、本決済の情報は、第一端末識別子と第二端末識別子とを有する。
【０１３９】
次に、決済サーバ１４の決済情報受信部１４１は、データセンター１３から決済情報を受信する。次に、決済処理部１４２は、決済情報受信部１４１が受信した決済情報を用いて、決済処理を行う。
【０１４０】
以上、本実施の形態によれば、簡易なハードウェア構成で、機密性の高いクレジットカードの決済が可能となる。
【０１４１】
また、本実施の形態によれば、第一端末１１、第二端末１２でクレジットカード情報が残らないことにより、クレジットカード識別子の漏洩を防止できる。
【０１４２】
さらに、本実施の形態によれば、撮影部が取得した写真や現在位置を、決済に関する情報と対応付けて蓄積することにより、決済時の状況を示す情報を容易に残すことができる。
【０１４３】
なお、本実施の形態における各装置の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【０１４４】
（実施の形態２）
図７は、本実施の形態における決済システム２の概念図である。決済システム２は、第一端末２１、第二端末２２、データセンター２３、決済サーバ１４を具備する。
【０１４５】
本実施の形態において、第一端末２１および第二端末２２は携帯端末である。
【０１４６】
図８は、本実施の形態における決済システム２のブロック図である。
【０１４７】
第一端末２１は、第一端末識別子格納部２１１、第一位置情報取得部２１２、金額受付部２１３、第一端末情報構成部２１４、第一端末送信部２１５、および決済識別子受信部２１６を具備する。
【０１４８】
第二端末２２は、クレジットカード識別子格納部２２１、受付部１２２、第二位置情報取得部２２３、送信情報受信部２２４、金額出力部２２５、クレジットカード情報取得部２２６、第二端末情報構成部２２７、第二端末送信部２２８、クレジットカード識別子出力部２２９、撮影部１２７、写真蓄積部１２８、および第二位置情報送信部２２０を具備する。
【０１４９】
データセンター２３は、第一端末情報受信部２３１、決済識別子取得部２３２、決済識別子送信部２３３、第二端末情報受信部２３４、認証部２３５、およびセンター送信部２３６を具備する。
【０１５０】
第一端末２１を構成する第一端末識別子格納部２１１は、第一端末を識別する第一端末識別子を格納している。る第一端末識別子は、例えば、電話番号、ＭＡＣアドレス、機器製造番号等である。
【０１５１】
第一位置情報取得部２１２は、第一端末２１の位置情報を取得する。第一位置情報取得部２１２は、例えば、ＧＰＳ受信機等の測位装置である。第一位置情報取得部２１２は、第一端末２１の位置情報を取得できれば何でも良い。ここで、位置情報とは、位置を示す情報であり、例えば、（経度，緯度）や領域を特定する領域ＩＤなどである。
【０１５２】
金額受付部２１３は、決済する金額を受け付ける。ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。金額の入力手段は、キーボードやタッチパネルやマウスやメニュー画面によるもの等、何でも良い。金額受付部２１３は、キーボードやタッチパネル等の入力手段のデバイスドライバーや、メニュー画面の制御ソフトウェア等で実現され得る。
【０１５３】
第一端末情報構成部２１４は、第一端末識別子と位置情報と金額とを有する第一端末情報を構成する。
【０１５４】
第一端末送信部２１５は、第一端末情報構成部２１４が構成した第一端末情報をデータセンター２３に送信する。
【０１５５】
決済識別子受信部２１６は、第一端末情報の送信に対応して、データセンター１３から当該決済を特定する決済識別子を受信する。決済識別子とは、当該決済を識別する情報であれば何でも良い。決済識別子は、例えば、数字やアルファベットを含む文字列である。なお、決済識別子受信部２１６は、受信した決済識別子を出力することは好適である。
【０１５６】
第二端末２２を構成するクレジットカード識別子格納部２２１は、１または２以上のクレジットカード識別子を格納している。クレジットカード識別子は、クレジットカードを識別する情報である。クレジットカード識別子格納部２２１は、クレジットカード識別子に対応付けて、クレジットカードの画像や映像等を格納していても良い。
【０１５７】
第二位置情報取得部２２３は、第二端末２２の位置を示す位置情報を取得する。第二位置情報取得部２２３は、例えば、ＧＰＳ受信機等の測位装置である。第二位置情報取得部２２３は、第二端末２２の位置情報を取得できれば何でも良い。
【０１５８】
第二位置情報送信部２２０は、第二位置情報取得部２２３が取得した位置情報を、データセンター２３に送信する。
【０１５９】
送信情報受信部２２４は、データセンター２３から、第一端末識別子と決済識別子と金額とを有する送信情報を受信する。
【０１６０】
金額出力部２２５は、送信情報受信部２２４が受信した送信情報に含まれる金額を出力する。ここで、出力とは、通常、ディスプレイへの表示であるが、プロジェクターを用いた投影、プリンタへの印字、音出力、外部の装置への送信、記録媒体への蓄積、他の処理装置や他のプログラムなどへの処理結果の引渡しなどを含む概念である。
【０１６１】
金額出力部２２５は、ディスプレイ等の出力デバイスを含むと考えても含まないと考えても良い。金額出力部２２５は、出力デバイスのドライバーソフトまたは、出力デバイスのドライバーソフトと出力デバイス等で実現され得る。
【０１６２】
クレジットカード情報取得部２２６は、クレジットカードを識別するクレジットカード識別子を含むクレジットカードに関する情報であるクレジットカード情報を取得する。クレジットカード情報とは、例えば、選択されたクレジットカード識別子とパスワードとを含む。クレジットカード情報は、クレジットカードの画像や映像等を含んでも良い。クレジットカード情報取得部２２６が取得するクレジットカード識別子や、画像等は、クレジットカード識別子格納部２２１に格納されている。
【０１６３】
クレジットカード識別子出力部２２９は、クレジットカード情報取得部２２６が取得した１または２以上のクレジットカード識別子を出力する。ここでのクレジットカード識別子の出力とは、クレジットカード識別子そのものの出力でも良いし、クレジットカード識別子に対応する画像や映像等の出力でも良い。つまり、クレジットカード識別子出力部２２９は、１または２以上のクレジットカードを、ユーザが識別できる情報の出力である。
【０１６４】
クレジットカード識別子出力部２２９は、ディスプレイ等の出力デバイスを含むと考えても含まないと考えても良い。クレジットカード識別子出力部２２９は、出力デバイスのドライバーソフトまたは、出力デバイスのドライバーソフトと出力デバイス等で実現され得る。
【０１６５】
データセンター２３を構成する第一端末情報受信部２３１は、第一端末２１から第一端末情報を受信する。
【０１６６】
決済識別子取得部２３２は、第一端末情報を受信したことに応じて、ユニークな決済識別子を取得する。決済識別子取得部２３２は、決済識別子をどのような情報を用いて、取得しても良い。決済識別子取得部２３２は、例えば、図示しない時計から現在時刻（年月日時分秒など）を取得し、当該現在時刻と発生させた乱数（桁数は何でも良い）とを結合した文字列を生成しても良い。また、決済識別子取得部２３２は、すべての文字（アルファベット、数字、特殊文字など）から、乱数を用いて、一の文字を選択し、当該選択をｎ（ｎは１以上の整数）回、繰り返し、ｎ文字の文字列を取得しても良い。決済識別子取得部２３２がユニーク情報を取得する方法は問わない。
【０１６７】
決済識別子送信部２３３は、決済識別子取得部２３２が取得した決済識別子を第一端末２１に送信する。
【０１６８】
第二端末情報受信部２３４は、第二端末２２から第二端末情報を受信する。
【０１６９】
認証部２３５は、第二端末情報が有する決済識別子と、決済識別子取得部２３２が取得した決済識別子とを用いて、決済の正当性を判断する。また、認証部２３５は、受信された位置情報（第二端末２２の位置情報）に最も近い位置情報を含む第一端末情報を検索する。
【０１７０】
センター送信部２３６は、決済識別子を含む送信情報を第二端末２２に送信する。また、認証部２３５が、決済が正当であると判断した場合、センター送信部２３６は、第二端末情報が有するクレジットカード情報と、第一端末情報または第二端末情報が有する金額とを有する決済情報を、決済を行う決済サーバ１４に送信する。
【０１７１】
決済サーバ１４を構成する送信情報受信部１４１は、データセンター２３から、第一端末識別子と決済識別子と金額とを有する決済情報を受信する。
【０１７２】
第一端末識別子格納部２１１、およびクレジットカード識別子格納部２２１は、不揮発性の記録媒体が好適であるが、揮発性の記録媒体でも実現可能である。クレジットカード識別子格納部２２１等にクレジットカード識別子などが記憶される過程は問わない。
【０１７３】
第一端末情報構成部２１４、クレジットカード情報取得部２２６、第二端末情報構成部２２７、決済識別子取得部２３２、認証部２３５は、通常、ＭＰＵやメモリ等から実現され得る。第一端末情報構成部２１４等の処理手順は、通常、ソフトウェアで実現され、当該ソフトウェアはＲＯＭ等の記録媒体に記録されている。但し、ハードウェア（専用回路）で実現しても良い。
【０１７４】
第一端末送信部２１５、決済識別子受信部２１６、第二位置情報送信部２２０、送信情報受信部２２４、第二端末送信部２２８、第一端末情報受信部２３１、決済識別子送信部２３３、第二端末情報受信部２３４、センター送信部２３６は、通常、無線または有線の通信手段で実現され得る。
【０１７５】
次に、決済システム２の動作について説明する。まず、第一端末２１の動作について、図９のフローチャートを用いて説明する。
【０１７６】
（ステップＳ９０１）金額受付部２１３は、決済する金額の入力を受け付けたか否かを判断する。金額の入力を受け付ければステップＳ９０２に行き、受け付けなければステップＳ９０１に戻る。
【０１７７】
（ステップＳ９０２）第一位置情報取得部２１２は、第一端末２１の位置情報を取得する。
【０１７８】
（ステップＳ９０３）第一端末情報構成部２１４は、第一端末識別子格納部２１１から、第一端末識別子を読み出す。
【０１７９】
（ステップＳ９０４）第一端末情報構成部２１４は、ステップＳ９０１で受け付けられた金額、ステップＳ９０２で取得された位置情報、およびステップＳ９０３で取得した第一端末識別子を用いて、第一端末情報を構成する。第一端末情報構成部２１４は、第一端末情報を暗号化することは好適である。
【０１８０】
（ステップＳ９０５）第一端末送信部２１５は、ステップＳ９０４で構成された第一端末情報を、データセンター２３に送信する。
【０１８１】
（ステップＳ９０６）決済識別子受信部２１６は、ステップＳ９０５における送信に対応して、データセンター２３から決済識別子を受信したか否かを判断する。決済識別子を受信すればステップＳ９０７に行き、決済識別子を受信しなければステップＳ９０６に戻る。
【０１８２】
（ステップＳ９０７）決済識別子受信部２１６または、第一端末２１の図示しない出力部は、ステップＳ９０６で受信された決済識別子を出力する。ここで、出力部は、ステップＳ９０１で受け付けられた金額やステップＳ９０２で取得された位置情報なども出力しても良い。処理を終了する。
【０１８３】
次に、第二端末２２の動作について、図１０のフローチャートを用いて説明する。図１０のフローチャートにおいて、図４のフローチャートと同一のステップについて説明を省略する。
【０１８４】
（ステップＳ１００１）受付部１２２は、決済の開始指示を受け付けたか否かを判断する。開始指示は、例えば、決済のアプリケーションの立ち上げや、第二端末２２を第一端末２１に近づけて、本体を傾けること等である。開始指示を受け付ければステップＳ１００２に行き、開始指示を受け付けなければステップＳ１００１に戻る。
【０１８５】
（ステップＳ１００２）第二位置情報取得部２２３は、位置情報を取得する。
【０１８６】
（ステップＳ１００３）第二位置情報送信部２２０は、ステップＳ１００２で取得された位置情報を、データセンター２３に送信する。ここで、第二位置情報送信部２２０は、通常、第二端末識別子も、データセンター２３に送信する。第二端末識別子は、第二端末２２を識別する情報であり、例えば、電話番号、MACアドレス、IPアドレスなどである。第二端末識別子は、通常、予め第二端末２２が保持している。
【０１８７】
（ステップＳ１００４）送信情報受信部２２４は、データセンター２３から送信情報を受信する。なお、送信情報は、通常、決済識別子、第一端末識別子、および金額を有する。
【０１８８】
（ステップＳ１００５）金額出力部２２５は、ステップＳ１００４で受信された送信情報から金額を取得し、当該金額を出力する。
【０１８９】
（ステップＳ１００６）クレジットカード情報取得部２２６は、クレジットカード識別子格納部２２１から、１以上のクレジットカード情報を取得する。
【０１９０】
（ステップＳ１００７）クレジットカード識別子出力部２２９は、ステップＳ１００６で取得された１以上のクレジットカード情報を出力する。
【０１９１】
（ステップＳ１００８）受付部１２２は、ステップＳ１００７で出力された１以上のクレジットカード情報のうち、ユーザのクレジットカード情報の選択を受け付けたか否かを判断する。クレジットカード情報の選択を受け付ければステップＳ１００９に行き、受け付けなければステップＳ１００８に戻る。なお、ここで、受付部１２２は、ユーザからパスワードやサインの入力を受け付けても良い。
【０１９２】
（ステップＳ１００９）クレジットカード情報取得部２２６は、ステップＳ１００８で選択された一のクレジットカード識別子を含むクレジットカード情報を取得する。
【０１９３】
（ステップＳ１０１０）第二端末情報構成部２２７は、クレジットカード情報に含まれるクレジットカード識別子、決済識別子等を有する第二端末情報を構成する。なお、第二端末情報は、ステップＳ１００８で受け付けられたパスワードやサインを含むことは好適である。第二端末情報構成部２２７は、第二端末情報を暗号化することは好適である。
【０１９４】
次に、データセンター２３の動作について、図１１のフローチャートを用いて説明する。
【０１９５】
（ステップＳ１１０１）第一端末情報受信部２３１は、第一端末２１から第一端末情報を受信したか否かを判断する。第一端末情報を受信すればステップＳ１１０２に行き、受信しなければステップＳ１１０１に戻る。
【０１９６】
（ステップＳ１１０２）第一端末情報受信部２３１は、ステップＳ１１０１で受信した第一端末情報を、図示しない記録媒体に一時蓄積する。
【０１９７】
（ステップＳ１１０３）決済識別子取得部２３２は、ステップＳ１１０１で第一端末情報を受信したことに応じて、ユニークな決済識別子を取得する。
【０１９８】
（ステップＳ１１０４）決済識別子送信部２３３は、ステップＳ１１０３で取得された決済識別子を第一端末２１に送信する。
【０１９９】
（ステップＳ１１０５）第二端末情報受信部２３４は、第二端末２２から位置情報等を受信したか否かを判断する。位置情報等を受信すればステップＳ１１０６に行き、受信しなければステップＳ１１０５に戻る。
【０２００】
（ステップＳ１１０６）認証部２３５は、ステップＳ１１０５で受信された位置情報に最も近い位置情報を含む第一端末情報を、図示しない記録媒体から検索する。なお、第一端末情報に含まれる位置情報が示す位置と、ステップＳ１１０５で受信された位置情報が示す位置との距離が閾値（例えば、「１０ｍ」）以上であれば、認証部２３５は、エラーとしても良い。なお、認証部２３５がエラーとする場合、決済識別子を、エラーを示す情報に書き換えるなどしても良い。
【０２０１】
（ステップＳ１１０７）センター送信部２３６は、ステップＳ１１０３で取得された決済識別子を含む送信情報を構成する。送信情報は、例えば、決済識別子と第一端末識別子と金額を含む。
【０２０２】
（ステップＳ１１０８）センター送信部２３６は、ステップＳ１１０７で構成した送信情報を第二端末２２に送信する。
【０２０３】
（ステップＳ１１０９）第二端末情報受信部２３４は、送信情報の送信に応じて、第二端末２２から第二端末情報を受信したか否かを判断する。第二端末情報を受信すればステップＳ１１０９に行き、受信しなければステップＳ１１０８に戻る。
【０２０４】
（ステップＳ１１１０）認証部２３５は、ステップＳ１１０８で受信された第二端末情報が有する決済識別子と、ステップＳ１１０３で決済識別子取得部２３２が取得した決済識別子とを用いて、決済の正当性を判断する。つまり、認証部２３５は、決済の認証処理を行う。
【０２０５】
（ステップＳ１１１１）認証部２３５は、ステップＳ１１１０における認証結果が認証許可であればステップＳ１１１２に行き、認証不許可であればステップＳ１１１４に行く。
【０２０６】
（ステップＳ１１１２）センター送信部２３６は、第二端末情報が有するクレジットカード情報と、第一端末情報または第二端末情報が有する金額とを有する決済情報を構成する。
【０２０７】
（ステップＳ１１１３）センター送信部２３６は、ステップＳ１１１２で構成した決済情報を決済サーバ１４に送信する。処理を終了する。
【０２０８】
（ステップＳ１１１４）センター送信部２３６は、エラーである旨を示すエラー情報を構成し、第二端末２２に送信する。処理を終了する。
【０２０９】
以下、本実施の形態における決済システム２の具体的な動作について、図１２を用いて説明する。
【０２１０】
まず、第一端末２１のユーザは、決済する金額を第一端末２１に入力する。そして、金額受付部２１３は、決済する金額の入力を受け付ける（図１２の（１）参照）。
【０２１１】
次に、第一端末２１の第一位置情報取得部２１２は、第一端末２１の位置情報を取得する。また、第一端末情報構成部２１４は、第一端末識別子格納部２１１から、第一端末識別子を読み出す。次に、第一端末情報構成部２１４は、金額、位置情報、および第一端末識別子を用いて、第一端末情報を構成する。そして、第一端末送信部２１５は、構成された第一端末情報を、データセンター２３に送信する（図１２の（２）参照）。
【０２１２】
次に、データセンター２３の第一端末情報受信部２３１は、第一端末２１から第一端末情報を受信し、図示しない記録媒体に一時蓄積する。そして、決済識別子取得部２３２は、ユニークな決済識別子を取得する。次に、決済識別子送信部２３３は、取得された決済識別子を第一端末２１に送信する（図１２の（３）参照）。
【０２１３】
次に、第二端末２２のユーザは、決済のアプリケーションを立ち上げ、第二端末２２を第一端末２１に近づけて、本体を傾ける（図１２の（４）参照）。
【０２１４】
次に、第二端末２２の第二位置情報取得部２２３は、位置情報を取得する。そして、第二位置情報送信部２２０は、取得された位置情報を、データセンター２３に送信する（図１２の（５）参照）。
【０２１５】
次に、データセンター２３の第二端末情報受信部２３４は、第二端末２２から位置情報を受信する。
【０２１６】
次に、データセンター２３の認証部２３５は、受信された位置情報に最も近い位置情報を含む第一端末情報を、図示しない記録媒体から検索する。そして、認証部２３５は、第一端末情報に含まれる位置情報が示す位置と、受信された位置情報が示す位置との距離が閾値（例えば、「１０ｍ」）以内であることを確認する。
【０２１７】
次に、センター送信部２３６は、取得された決済識別子，金額、第一端末識別子を含む送信情報を構成する。なお、第一端末識別子は、受信された位置情報に最も近い位置情報を含む第一端末情報に含まれる。そして、センター送信部２３６は、構成した送信情報を第二端末２２に送信する（図１２の（６）参照）。
【０２１８】
次に、第二端末２２の送信情報受信部２２４は、データセンター２３から送信情報を受信する。そして、クレジットカード情報取得部２２６は、クレジットカード識別子格納部２２１から、１以上のクレジットカード識別子を取得する。ここで取得するクレジットカード識別子は、クレジットカード番号と、クレジットカード識別子に対応するクレジットカードの図柄（画像）である、とする。次に、クレジットカード識別子出力部２２９は、取得された１以上のクレジットカードの図柄を出力する（図１３参照）。
【０２１９】
次に、第二端末２２のユーザは、カード「ＰＩＳＡカード」を選択し、パスワード「０５０５」を入力した、とする。そして、受付部１２２は、クレジットカード「ＰＩＳＡカード」の選択を受け付け、パスワード「０５０５」を受け付ける（図１２の（７）参照）。
【０２２０】
次に、第二端末２２のクレジットカード情報取得部２２６は、選択された一のクレジットカード情報（クレジットカード識別子を含む）を取得する。そして、第二端末情報構成部２２７は、クレジットカード情報に含まれるクレジットカード識別子、決済識別子等を有する第二端末情報を構成する。次に、第二端末２２のユーザは、写真撮影の指示を行う。そして、受付部１２２は、撮影する指示を受け付ける。そして、撮影部１２７は、撮影し、写真を取得する。そして、写真蓄積部１２８は、撮影部１２７が取得した写真を、決済に関する情報と対応付けて蓄積する。次に、第二端末送信部２２８は、第二端末情報構成部２２７が構成した第二端末情報をデータセンター２３に送信する（図１２の（８）参照）。
【０２２１】
次に、データセンター２３の第二端末情報受信部２３４は、送信情報の送信に応じて、第二端末２２から第二端末情報を受信する。そして、認証部２３５は、受信された第二端末情報が有する決済識別子と、決済識別子取得部２３２が取得した決済識別子とを用いて、決済の正当性を判断する。なお、ここで、認証結果が認証許可であった、とする。
【０２２２】
次に、データセンター２３のセンター送信部２３６は、第二端末情報が有するクレジットカード情報と、第一端末情報または第二端末情報が有する金額とを有する決済情報を構成する。そして、センター送信部２３６は、構成した決済情報を決済サーバ１４に送信する。
【０２２３】
次に、決済サーバ１４は、決済情報を受信し、決済処理を行う。
【０２２４】
以上、本実施の形態によれば、簡易なハードウェア構成で、機密性の高いクレジットカードの決済が可能となる。
【０２２５】
さらに、本実施の形態によれば、撮影部が取得した写真や現在位置を、決済に関する情報と対応付けて蓄積することにより、決済時の状況を示す情報を容易に残すことができる。
【０２２６】
（実施の形態３）
図１４は、本実施の形態における決済システム２の概念図である。決済システム３は、第一端末３１、第二端末３２、第三端末３３、データセンター３４を具備する。第一端末３１は、例えば、店舗の端末である。第一端末３１は、例えば、クレジットカードリーダーである。第二端末３２は、例えば、店舗の端末である。第三端末３３は、ユーザの端末である。データセンター３４は、機密性の高い決済を行うためのサーバ装置である。なお、店舗とは、例えば、商品やサービスがユーザによって購入される店舗である。ユーザとは、例えば、商品やサービスの購入者である。
【０２２７】
図１５は、本実施の形態における決済システム３のブロック図である。決済システム３は、第一端末３１、第二端末３２、第三端末３３、およびデータセンター３４を具備する。
【０２２８】
第一端末３１は、指示受信部３１１、第三端末識別子受信部３１２、第一端末送信部３１３を具備する。
【０２２９】
第二端末３２は、第二端末識別子格納部３２１、金額受付部３２２、受付部３２３、指示送信部３２４、第一端末情報受信部３２５、第二端末送信部３２６、結果受信部３２７、結果出力部３２８を具備する。
【０２３０】
第三端末３３は、指示受付部３３０、第三端末識別子格納部３３１、第三端末送信部３３２、決済情報受信部３３３、決済情報出力部３３４、決済指示受付部３３５、決済処理部３３６、結果送信部３３７を具備する。
【０２３１】
データセンター３４は、第二端末情報受信部３４１、決済情報送信部３４２、結果転送部３４３を具備する。
【０２３２】
第一端末３１を構成する指示受信部３１１は、第二端末３２から指示を受信する。この指示とは、決済が開始されることを示す指示である。指示は、例えば、Ｂｌｕｅｔｏｏｔｈ（登録商標）受信モードをＯＮにする指示である。
【０２３３】
第三端末識別子受信部３１２は、第三端末３３から第三端末識別子を近距離無線通信手段により受信する。第三端末識別子とは、第三端末３３を識別する情報であり、例えば、ウォレットＩＤと言う。
【０２３４】
第一端末送信部３１３は、第三端末識別子受信部３１２が受信した第三端末識別子を有する第一端末情報を、第二端末３２に送信する。第一端末送信部３１３は、通常、近距離無線通信手段により第一端末情報を送信する。第二端末３２は、例えば、店舗側の端末である。
【０２３５】
第二端末３２を構成する第二端末識別子格納部３２１は、第二端末３２を識別する第二端末識別子を格納している。第二端末識別子とは、例えば、店舗を識別する店舗ＩＤなどである。
【０２３６】
金額受付部３２２は、決済する金額を受け付ける。ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。金額の入力手段は、キーボードやマウスやメニュー画面によるもの等、何でも良い。金額受付部３２２は、テンキーやキーボード等の入力手段のデバイスドライバーや、メニュー画面の制御ソフトウェア等で実現され得る。
【０２３７】
受付部３２３は、指示等を受け付ける。指示等とは、例えば、決済が開始されることを示す指示である。指示等の入力手段は、キーボードやマウスやメニュー画面によるもの等、何でも良い。受付部３２３は、キーボード等の入力手段のデバイスドライバーや、メニュー画面の制御ソフトウェア等で実現され得る。
【０２３８】
指示送信部３２４は、受付部３２３が受け付けた指示を第一端末３１に送信する。指示送信部３２４は、金額受付部３２２が金額を受け付けたことをトリガーとして、指示を第一端末３１に送信しても良い。なお、ここでの指示は、例えば、Ｂｌｕｅｔｏｏｔｈの受信モードをＯＮにする指示である。
【０２３９】
第一端末情報受信部３２５は、第一端末３１から第一端末情報を受信する。第一端末情報受信部３２５は、通常、近距離無線の通信手段で実現される。
【０２４０】
第二端末送信部３２６は、第二端末識別子と、第一端末情報が有する第三端末識別子と、金額受付部３２２が受け付けた金額とを有する第二端末情報を、データセンター３４に送信する。
【０２４１】
結果受信部３２７は、データセンター３４から決済処理の結果を受信する。
【０２４２】
結果出力部３２８は、結果受信部３２７が受信した決済処理の結果を出力する。ここで、出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。結果出力部３２８は、ディスプレイやスピーカー等の出力デバイスを含むと考えても含まないと考えても良い。結果出力部３２８は、出力デバイスのドライバーソフトまたは、出力デバイスのドライバーソフトと出力デバイス等で実現され得る。
【０２４３】
第三端末３３を構成する指示受付部３３０は、指示を受け付ける。指示とは、例えば、決済処理のためのアプリケーションの起動指示、第三端末識別子を第一端末３１に送信する指示等である。指示等の入力手段は、キーボードやマウスやメニュー画面によるもの等、何でも良い。指示受付部３３０は、キーボード等の入力手段のデバイスドライバーや、メニュー画面の制御ソフトウェア等で実現され得る。
【０２４４】
第三端末識別子格納部３３１は、第三端末３３を識別する第三端末識別子を格納している。第三端末識別子は、第三端末３３を識別する情報であれば何でも良い。第三端末識別子は、上述したように、クレジットカード情報でも良い。
【０２４５】
第三端末送信部３３２は、第三端末識別子格納部３３１の第三端末識別子を第一端末３１に近距離無線通信手段により送信する。
【０２４６】
決済情報受信部３３３は、データセンター３４から、第二端末識別子と金額を有する決済情報を受信する。
【０２４７】
決済情報出力部３３４は、決済情報受信部３３３が受信した決済情報を出力する。決済情報出力部３３４は、ディスプレイやスピーカー等の出力デバイスを含むと考えても含まないと考えても良い。決済情報出力部３３４は、出力デバイスのドライバーソフトまたは、出力デバイスのドライバーソフトと出力デバイス等で実現され得る。
【０２４８】
決済指示受付部３３５は、決済を遂行する指示である決済指示を受け付ける。決済指示の入力手段は、キーボードやマウスやメニュー画面によるもの等、何でも良い。決済指示受付部３３５は、キーボード等の入力手段のデバイスドライバーや、メニュー画面の制御ソフトウェア等で実現され得る。
【０２４９】
決済処理部３３６は、決済に必要な処理である決済処理を行う。決済処理とは、例えば、ユーザがクレジットカードを選択する指示の入力し、図示しない決済サーバに決済情報と選択したクレジットカードを識別する情報（例えば、クレジットカード番号）とを送信すること等である。なお、１以上のクレジットカードの情報は、予め決済処理部３３６が保持していても良いし、外部のサーバ装置（例えば、データセンター３４）から、図示しない受信手段が受信しても良い。なお、クレジットカードの情報を外部のサーバ装置から受信する場合、例えば、外部のサーバ装置に、第三端末識別子に対応付けて、クレジットカードの情報が管理されている。
【０２５０】
結果送信部３３７は、決済処理部３３６が行った決済処理の結果をデータセンター３４に送信する。
【０２５１】
データセンター３４を構成する第二端末情報受信部３４１は、第二端末３２から第二端末情報を受信する。
【０２５２】
決済情報送信部３４２は、第三端末３３に、第二端末識別子と金額を有する決済情報を送信する。
【０２５３】
結果転送部３４３は、外部の装置から決済処理の結果を受信し、決済処理の結果を第二端末３２に送信する。なお、外部の装置とは、通常、図示しない決済サーバであるが、第三端末３３等でも良い。
【０２５４】
指示受信部３１１は、通常、無線または有線の通信手段で実現されるが、放送を受信する手段で実現されても良い。
【０２５５】
第二端末識別子格納部３２１、第三端末識別子格納部３３１は、不揮発性の記録媒体が好適であるが、揮発性の記録媒体でも実現可能である。
【０２５６】
指示送信部３２４、第二端末送信部３２６、第三端末送信部３３２、結果送信部３３７、決済情報送信部３４２は、通常、無線または有線の通信手段で実現されるが、放送手段で実現されても良い。
【０２５７】
結果受信部３２７、決済情報受信部３３３、第二端末情報受信部３４１は、通常、無線または有線の通信手段で実現されるが、放送を受信する手段で実現されても良い。
【０２５８】
決済処理部３３６は、通常、ＭＰＵやメモリ等から実現され得る。決済処理部３３６の処理手順は、通常、ソフトウェアで実現され、当該ソフトウェアはＲＯＭ等の記録媒体に記録されている。但し、ハードウェア（専用回路）で実現しても良い。
【０２５９】
結果転送部３４３は、通常、無線または有線の通信手段等で実現され得る。
【０２６０】
次に、決済システム３の動作について説明する。まず、第一端末３１の動作について説明する。
【０２６１】
第一端末３１の指示受信部３１１は、第二端末３２からＢｌｕｅｔｏｏｔｈ（登録商標）受信モードをＯＮにする指示を受信する。そして、第一端末３１はＢｌｕｅｔｏｏｔｈにより、通信可能となる。そして、第三端末識別子受信部３１２は、第三端末３３から第三端末識別子を受信する。次に、第一端末送信部３１３は、第三端末識別子受信部３１２が受信した第三端末識別子を有する第一端末情報を、第二端末３２に送信する。
【０２６２】
次に、第二端末３２の動作について、図１６のフローチャートを用いて説明する。なお、ステップＳ１６０１の動作の開始前に、決済を行う第二端末３２のアプリケーションは起動されている、とする。
【０２６３】
（ステップＳ１６０１）金額受付部３２２は、決済する金額を受け付けたか否かを判断する。決済する金額を受け付ければステップＳ１６０２に行き、受け付けなければステップＳ１６０１に戻る。なお、本ステップで、金額以外の情報（例えば、本決済の内容を示す情報など）を受け付けても良い。
【０２６４】
（ステップＳ１６０２）指示送信部３２４は、Ｂｌｕｅｔｏｏｔｈの受信モードをＯＮにする指示を第一端末３１に送信する。
【０２６５】
（ステップＳ１６０３）ステップＳ１６０２における送信に対応して、第一端末情報受信部３２５は、第一端末３１から第一端末情報を受信したか否かを判断する。第一端末情報を受信すればステップＳ１６０４に行き、受信しなければステップＳ１６０３に戻る。
【０２６６】
（ステップＳ１６０４）第二端末送信部３２６は、第二端末識別子格納部３２１から第二端末識別子を読み出す。そして、第二端末送信部３２６は、第二端末識別子と、第一端末情報が有する第三端末識別子と、金額受付部３２２が受け付けた金額とを有する第二端末情報を構成する。
【０２６７】
（ステップＳ１６０５）第二端末送信部３２６は、ステップＳ１６０４で構成した第二端末情報を、データセンター３４に送信する。
【０２６８】
（ステップＳ１６０６）ステップＳ１６０５における送信に対応して、結果受信部３２７は、データセンター３４から決済処理の結果を受信したか否かを判断する。決済処理の結果を受信すればステップＳ１６０７に行き、受信しなければステップＳ１６０６に戻る。
【０２６９】
（ステップＳ１６０７）結果出力部３２８は、結果受信部３２７が受信した決済処理の結果を出力する。ステップＳ１６０１に戻る。
【０２７０】
なお、図１６のフローチャートにおいて、電源オフや処理終了の割り込みにより処理は終了する。
【０２７１】
次に、第三端末３３の動作について説明する。まず、図１７のフローチャートを用いて説明する。なお、ステップＳ１７０１の動作の開始前に、決済を行う第三端末３３のアプリケーションは起動されている、とする。
【０２７２】
（ステップＳ１７０１）指示受付部３３０は、第三端末識別子を第一端末３１に送信する指示を受け付けたか否かを判断する。指示を受け付ければステップＳ１７０２に行き、指示を受け付けなければステップＳ１７０１に戻る。
【０２７３】
（ステップＳ１７０２）第三端末送信部３３２は、第三端末識別子格納部３３１の第三端末識別子を読み出し、当該第三端末識別子を第一端末３１に近距離無線通信手段により送信する。
【０２７４】
（ステップＳ１７０３）ステップＳ１７０２における送信に対応して、決済情報受信部３３３は、データセンター３４から、第二端末識別子と金額を有する決済情報を受信したか否かを判断する。決済情報を受信すればステップＳ１７０４に行き、決済情報を受信しなければステップＳ１７０３に戻る。
【０２７５】
（ステップＳ１７０４）決済情報出力部３３４は、ステップＳ１７０３で受信された決済情報を出力する。
【０２７６】
（ステップＳ１７０５）決済指示受付部３３５は、決済を遂行する指示である決済指示を受け付けたか否かを判断する。決済指示を受け付ければステップＳ１７０６に行き、決済指示を受け付けなければステップＳ１７０５に戻る。
【０２７７】
（ステップＳ１７０６）決済処理部３３６は、決済に必要な処理である決済処理を行う。
【０２７８】
（ステップＳ１７０７）結果送信部３３７は、ステップＳ１７０６における決済処理の結果をデータセンター３４に送信する。ステップＳ１７０１に戻る。
【０２７９】
なお、図１７のフローチャートにおいて、電源オフや処理終了の割り込みにより処理は終了する。
【０２８０】
次に、データセンター３４の動作について説明する。データセンター３４の第二端末情報受信部３４１は、第二端末３２から第二端末情報を受信する。次に、決済情報送信部３４２は、第二端末識別子と金額を有する決済情報を構成する。そして、第三端末３３に決済情報を送信する。次に、結果転送部３４３は、第三端末３３から決済処理の結果を受信し、当該決済処理の結果を第二端末３２に送信する。
【０２８１】
以下、本実施の形態における決済システム３の具体的な動作について、図１８を用いて説明する。なお、第一端末３１および第二端末３２は、商品またはサービスを提供する店舗が所有する端末である。また、第三端末３３は、商品またはサービスを購入するユーザの端末である。ここで、ユーザは、店舗（サロンＡ）で、１９８００円のサービスを購入した、とする。
【０２８２】
そして、決済を行うため、まず、店舗（サロンＡ）の店員が第二端末３２の決済のためのアプリケーション（以下、決済アプリという）を起動する。そして、第二端末３２の受付部３２３は、決済アプリの起動指示を受け付ける。そして、図示しない起動手段が決済アプリを起動する。
【０２８３】
次に、店員は、決済アプリに対して、決済金額を入力する（図１８の（１））。すると、金額受付部３２２は、金額を受け付ける。かかる画面の例は、図１９の（１）である。そして、店員は、図１９の（１）の「クレジット」ボタンを押下する。すると、第二端末３２は、決済中の画面になる（図１９の（２））。
【０２８４】
次に、第二端末３２の指示送信部３２４は、Ｂｌｕｅｔｏｏｔｈの受信モードをＯＮにする指示を第一端末３１に送信する（図１８の（２））。
【０２８５】
そして、ユーザは第三端末３３の決済アプリを起動する（図１８の（３））。すると、指示受付部３３０は、第三端末識別子を第一端末３１に送信する指示を受け付ける。つまり、ここでは、決済アプリの起動指示は第三端末識別子を第一端末３１に送信する指示である、とする。なお、かかる場合の画面例は、図１９の（４）である。図１９の（４）において、過去の支払いのリストが表示されている。
【０２８６】
次に、第三端末送信部３３２は、第三端末識別子格納部３３１の第三端末識別子（ここではウォレットＩＤとする）を読み出し、当該第三端末識別子を第一端末３１に近距離無線通信手段により送信する（図１８の（４））。
【０２８７】
次に、第三端末識別子受信部３１２は、第三端末３３からウォレットＩＤを受信する。次に、第一端末送信部３１３は、第三端末識別子受信部３１２が受信したウォレットＩＤ（第一端末情報の例）を、第二端末３２に送信する（図１８の（５））。
【０２８８】
次に、第一端末情報受信部３２５は、第一端末３１からウォレットＩＤを受信する。そして、第二端末送信部３２６は、第二端末識別子格納部３２１から第二端末識別子（ここでは、加盟店ＩＤとする）を読み出す。そして、第二端末送信部３２６は、第二端末識別子と、第一端末情報が有する第三端末識別子と、金額受付部３２２が受け付けた金額とを有する第二端末情報を構成する。ここで、第二端末情報は、ウォレットＩＤ、加盟店ＩＤ、金額、備考（店員が入力した情報）を有する、とする。
【０２８９】
次に、第二端末送信部３２６は、構成した第二端末情報を、データセンター３４に送信する（図１８の（６））。
【０２９０】
次に、データセンター３４の第二端末情報受信部３４１は、第二端末３２から第二端末情報を受信する。次に、決済情報送信部３４２は、第二端末識別子と金額を有する決済情報を構成する。ここでは、決済情報は、加盟店ＩＤ、金額、備考（店員が入力した情報）を有する。そして、第三端末３３に決済情報を送信する（図１８の（７））。
【０２９１】
次に、第三端末３３の決済情報受信部３３３は、データセンター３４から、決済情報を受信する。そして、決済情報出力部３３４は、受信された決済情報を出力する。
【０２９２】
次に、ユーザは、加盟店ＩＤ、金額、備考等を見て、正しいと判断すれば、決済を遂行する指示である決済指示を入力する。かかる入力は、例えば、決済ボタンの押下である。次に、決済指示受付部３３５は、決済指示を受け付ける。
【０２９３】
なお、決済指示の他の例は、図１９の（５）から（７）である。つまり、ユーザは、図１９の（５）の画面における、カード選択ボタンを押下する。すると、第三端末３３の指示受付部３３０は、カード選択指示を受け付ける。そして、第三端末３３の図示しないカード情報取得部が、データセンター３４に、ウォレットＩＤを用いて問い合わせ、ウォレットＩＤに対応付けて管理されているカード情報（ここでは３つ）を受信し、出力する。かかる出力例が、図１９の（６）である。図１９の（６）において、３つのカードが表示されている。なお、第三端末３３は、利用する可能性のあるカードのカード情報を予め格納していても良い。
【０２９４】
そして、ユーザは、一つのカードを選択する。すると、図１９の（７）に画面が遷移する。そして、ユーザは、カードのセキュリティーコードを入力し、「決済」ボタンを押下する。ユーザが入力した以上の指示を、第三端末３３の指示受付部３３０は受け付ける。
【０２９５】
そして、決済処理部３３６は、決済に必要な処理である決済処理を行う。なお、決済処理とは、アプリ上での支払い処理（図１８の（８））であり、通常、図示しない決済サーバで行われる決済の処理である。
【０２９６】
次に、データセンター３４は、図示しない決済サーバに問い合わせ、決済処理の結果を受信する。なお、決済処理の結果は、例えば、ウォレットＩＤ、ユーザの氏名、金額等を含む。
【０２９７】
次に、データセンター３４の結果転送部３４３は、受信した決済処理の結果を受信し、当該決済処理の結果を第二端末３２に送信する。
【０２９８】
そして、第二端末３２の結果受信部３２７は、データセンター３４から決済処理の結果を受信する。次に、結果出力部３２８は、結果受信部３２７が受信した決済処理の結果を出力する。かかる出力例が図１９の（３）である。
【０２９９】
以上、本実施の形態によれば、簡易なハードウェア構成で、機密性の高いクレジットカードの決済が可能となる。なお、簡易なハードウェア構成とは、特に、第一端末１１（例えば、クレジットカードリーダー）の通信手段（第一端末送信部１１５）が近距離無線通信手段という簡易な構成で良いことである。
【０３００】
さらに、本実施の形態における第二端末３２を実現するソフトウェアは、以下のようなプログラムである。つまり、このプログラムは、記憶媒体に、第二端末を識別する第二端末識別子を格納しており、コンピュータを、第一端末から第一端末情報を受信する第一端末情報受信部と、決済する金額を受け付ける金額受付部と、前記第二端末識別子と、前記第一端末情報が有する第三端末識別子と、前記金額受付部が受け付けた金額とを有する第二端末情報を、前記データセンターに送信する第二端末送信部として機能させるためのプログラムである。
【０３０１】
また、上記プログラムにおいて、コンピュータを、前記データセンターから決済処理の結果を受信する結果受信部と、前記決済処理の結果を出力する結果出力部としてさらに機能させるためのプログラムであることは好適である。
【０３０２】
また、第三端末を実現するソフトウェアは、以下のようなプログラムである。つまり、このプログラムは、記憶媒体に、第三端末を識別する第三端末識別子を格納しており、コンピュータを、前記第三端末識別子を第一端末に近距離無線通信手段により送信する第三端末送信部と、前記データセンターから、前記第二端末識別子と前記金額を有する決済情報を受信する決済情報受信部と、前記決済情報受信部が受信した決済情報を出力する決済情報出力部と、決済を遂行する指示である決済指示を受け付ける決済指示受付部と、前記決済指示受付部が決済指示を受け付けた場合、決済に必要な処理である決済処理を行う決済処理部として機能させるためのプログラムである。
【０３０３】
また、上記プログラムにおいて、コンピュータを、決済処理部が行った決済処理の結果を前記データセンターに送信する結果送信部としてさらに機能させるためのプログラムであることは好適である。
【０３０４】
また、図２０は、本明細書で述べたプログラムを実行して、上述した実施の形態の決済システムを構成する第一端末、第二端末、データセンター、または決済サーバを実現するコンピュータの外観を示す。上述の実施の形態は、コンピュータハードウェア及びその上で実行されるコンピュータプログラムで実現され得る。図２０は、このコンピュータシステム３４０の概観図であり、図２１は、コンピュータシステム３４０のブロック図である。
【０３０５】
図２０において、コンピュータシステム３４０は、ＦＤドライブ、ＣＤ−ＲＯＭドライブを含むコンピュータ３４１と、キーボード３４２と、マウス３４３と、モニタ３４４とを含む。
【０３０６】
図２１において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０３０７】
コンピュータシステム３４０に、上述した実施の形態の決済システムを構成する第一端末、第二端末等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０３０８】
プログラムは、コンピュータ３４１に、上述した実施の形態の決済システム等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０３０９】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０３１０】
また、上記プログラムを実行するコンピュータは、単数であってもよく、複数であってもよい。すなわち、集中処理を行ってもよく、あるいは分散処理を行ってもよい。
【０３１１】
また、上記各実施の形態において、一の装置に存在する２以上の通信手段は、物理的に一の媒体で実現されても良いことは言うまでもない。
【０３１２】
また、上記各実施の形態において、各処理（各機能）は、単一の装置（システム）によって集中処理されることによって実現されてもよく、あるいは、複数の装置によって分散処理されることによって実現されてもよい。
【０３１３】
本発明は、以上の実施の形態に限定されることなく、種々の変更が可能であり、それらも本発明の範囲内に包含されるものであることは言うまでもない。
【産業上の利用可能性】
【０３１４】
以上のように、本発明にかかる決済システムは、簡易なハードウェア構成で、機密性の高いクレジットカードの決済が可能となる、という効果を有し、クレジットカードの決済システム等として有用である。
【符号の説明】
【０３１５】
１、２、３  決済システム
１１、２１、３１  第一端末
１２、２２、３２  第二端末
１３、２３、３４  データセンター
１４  決済サーバ
３３  第三端末
１１１、２１１  第一端末識別子格納部
１１２、２２６  クレジットカード情報取得部
１１３  ユニーク情報取得部
１１４、２１４  第一端末情報構成部
１１５、２１５、３１３  第一端末送信部
１１６  第一削除部
１２１、３２１  第二端末識別子格納部
１２２、３２３  受付部
１２３、２３１、３２５  第一端末情報受信部
１２４、２２７  第二端末情報構成部
１２５、２２８、３２６  第二端末送信部
１２６  第二削除部
１２７  撮影部
１２８  写真蓄積部
１２９  認証結果受信部
１３０  認証結果出力部
１３１、２３４、３４１  第二端末情報受信部
１３２、３４２  決済情報送信部
１３３  認証情報格納部
１３４、２３５  認証部
１３５  認証結果送信部
１４１、２２４  送信情報受信部
１４１、３３３  決済情報受信部
１４２、３３６  決済処理部
２１２  第一位置情報取得部
２１３、３２２  金額受付部
２１６  決済識別子受信部
２２０  第二位置情報送信部
２２１  クレジットカード識別子格納部
２２３  第二位置情報取得部
２２５  金額出力部
２２９  クレジットカード識別子出力部
２３２  決済識別子取得部
２３３  決済識別子送信部
２３６  センター送信部
３１１  指示受信部
３１２  第三端末識別子受信部
３２４  指示送信部
３２７  結果受信部
３２８  結果出力部
３３０  指示受付部
３３１  第三端末識別子格納部
３３２  第三端末送信部
３３４  決済情報出力部
３３５  決済指示受付部
３３７  結果送信部
１１３１  回数格納手段
１１３２  回数取得手段
１１３３  回数蓄積手段
１１３４  ユニーク情報取得手段
【図２】
2013080385.tif 000003
【図３】
2013080385.tif 000004
【図４】
2013080385.tif 000005
【図５】
2013080385.tif 000006
【図８】
2013080385.tif 000007
【図９】
2013080385.tif 000008
【図１０】
2013080385.tif 000009
【図１１】
2013080385.tif 000010
【図１５】
2013080385.tif 000011
【図１６】
2013080385.tif 000012
【図１７】
2013080385.tif 000013
【図２０】
2013080385.tif 000014
【図２１】
2013080385.tif 000015
【図１】
2013080385.tif 000016
【図６】
2013080385.tif 000017
【図７】
2013080385.tif 000018
【図１２】
2013080385.tif 000019
【図１３】
2013080385.tif 000020
【図１４】
2013080385.tif 000021
【図１８】
2013080385.tif 000022
【図１９】
2013080385.tif 000023